(57)【要約】【課題】従来は、コマセと餌を付けた釣針をともに入れ、重りと針金により水中で重りが自動的に移動、かごの上下が転倒するコマセかごや、遠くに投げ、ウキ下で、かご上部が内蔵の発泡体の力で浮上して下部との間に隙間を生じる遠投かごなどがある。いずれも重量感があり、磯のクロダイ釣りなどでは、自重が小さく、繊細で、かつ、水中ウキとしても使用出来るコマセかごが望まれている。【解決手段】  合成樹脂の線材などで作るか、成形加工したかごの上部前縁に小型の重りを、底に浮力を出す小型の発泡体をそれぞれ取り付け、上縁中央部両端を支持具で吊るし、着水と同時に転倒、主として、コマセの自重を利用して沈む方式のコマセかごにより、水中抵抗と自重が小さく、浮力ゼロに近いウキが使用でき、水中ウキとしても機能し、最低必要量のコマセと餌を付けた釣針を、魚信ウキで設定した、かなりの深さまでの潮流に届けることを可能にする。【選択図】図３
2011062188.tif 000002
【特許請求の範囲】
【請求項１】
合成樹脂の線材などで作るか、合成樹脂で成形加工し、上縁前面に重りを、底に浮力を出す発泡体やウキなどを、それぞれ取り付け、上縁中央部両端を二股の支持具で吊り下げる構造のかごで、支持具を、軸受部で水平かつ後方に伸ばしてから、かごの半径以上の大きさで上方前方に曲げて、かごの上面に、両端の支持部を結ぶ線に平行な方向と垂直な方向の、直角に交わる二つの方向に、かごの半径以上の高さと幅の自由空間を有することを特徴とする転倒式コマセかご
【請求項２】
請求項１のかごで、両側の支持部に設けたそれぞれの軸受と、支持部から上方にかごの半径以上の大きさで折り曲げた比較的強度のある支持具で、かごの転倒を円滑にするとともに、かごの上面に、両端の支持部を結ぶ線に垂直な方向にかごの半径以上の高さと幅の自由空間を有することを特徴とする転倒式コマセかご
【請求項３】
請求項１のかごで、支持具として、両端の支持部を結ぶ線に垂直な方向に、弱いバネ性を有する材料を使用することを特徴とする転倒式コマセかご
【請求項４】
請求項１、２および３のかごで、釣針が支持具にからむのを防止する、あるいは、コマセの飛散を減少させるために、支持具両端の少し前からかごの後縁までを覆う、内部寸法が半径よりも大きいガードを持つ、または、取り付けられることを特徴とする転倒式コマセかご
【発明の詳細な説明】
【技術分野】
【００１】  この発明は、磯や堤防など、海岸での釣りにおいて、従来の多量のコマセを撒く方法とは異なり、コマセかごにコマセと共に餌を付けた釣針を入れておき、かごの上部前縁に付けた重りと浮力を出すためにかごの底に付けた発泡体やウキの作用によって、コマセかごが水中に入ると同時にコマセかごが転倒してそのまま沈み、魚信をとるためのウキによって設定された深さまでかごが沈むと、中のコマセと餌を付けた釣針が自動的に放出され、釣針を最低必要量のコマセの流れの中を同期して流すことを可能にするものである。
【背景技術】
【００２】  市販のコマセかごには、コマセと餌をつけた釣針を共にかごに入れて遠くに投げる遠投かごや、海岸での釣り、船やボートでの釣りには、ナイロン糸などで編んだだけのかご、ステンレスの線材で編んだかご、合成樹脂で成形されたかごなど、いくつかの種類がある。遠投かごはイサキ、イナダなどの沖合の回遊魚を狙うための釣りの手段として使われている。それ以外のコマセかごは疑似餌を複数個つけ、最下部に重りを付けた胴突き仕掛けなどと併用されることが多い。
【発明が解決しようとする課題】
【００３】  従来の、磯近くに集まるクロダイやメジナなどの、コマセ釣りでは、ウキの位置から仕掛けの位置を考え、ひしゃくでコマセを撒くのが主流である。この方法では、潮の流れを読んでウキの位置から水中の仕掛けの位置を想定するが、潮の流れが一定ではなく、仕掛けとコマセを潮の流れにあわせることが困難である。また、遠投かごは遠くに投げるために比較的重厚な仕掛けとなっている。
【課題を解決するための手段】
【００４】  合成樹脂の線材などで作るか、合成樹脂で成形加工し、上縁前面に重りを、底に浮力を出す発泡体やウキなどを、それぞれ取り付け、上縁中央部両端を二股の支持具で吊り下げる構造のかごで、支持具を、軸受部で水平かつ後方に伸ばしてから、かごの半径以上の大きさで上方前方に曲げて、かごの上面に、両端の支持部を結ぶ線に平行な方向と垂直な方向の、直角に交わる二つの方向に、かごの半径以上の高さと幅の自由空間を確保し、設定された深さまでコマセかごが沈むとコマセとともに餌を付けた釣針が放出されるために、釣針がかごにからむことが少なく、潮の流れの中に仕掛けとコマセをあわせることが極めて容易になる。
【発明を実施するための形態】
【００５】  以下に、本発明の実施の形態について説明する。図に示すように、合成樹脂の線材などで作るか、成形加工した、コマセかごの、重りとウキの作用により、仕掛けが水面に届くと同時に重りの上縁が沈み始め、ついで底が上になった状態でコマセかご全体が、その状態のまま沈む。設定された深さまで到達すると、コマセかごは水中にとどまる。この時、コマセかごは、水中ウキと同じ効果を発揮して、潮の流れの中をただよう。その結果、コマセと釣針などの仕掛けはその自重により、コマセかごを離れ、拡散しながらも、潮の流れの中を沈んで行く。
【発明の効果】
【００６】  設定された深さの潮の流れをコマセかごがとらえ、放出されたコマセと餌をつけた釣針が同じ流れの中を拡散・沈降して行くために集魚効果が高くなる。途中の潮の流れに変化があっても、少ないコマセを、かなりの深さまで、的確に届けることにより、釣果を上げるとともに、環境汚染の弊害を少なくする。
【図面の簡単な説明】
【図１】  本発明のコマセかごが空中では重りのためにやや傾いている。
【図２】  コマセを入れるとその重みで垂直に近い姿勢となる。
【図３】  釣針を結ぶハリスがコマセかごに絡まない様に片てんびんを使用した例で、水中では重りの重力とウキの浮力が作用して転倒した状態で沈み、魚信ウキで設定した深さになるとコマセと共に餌をつけた釣針が放出される。
【図１】
2011062188.tif 000003
【図２】
2011062188.tif 000004
【図３】
2011062188.tif 000005
【手続補正書】
【提出日】平成21年10月13日(2009.10.13)
【手続補正１】
【補正対象書類名】特許請求の範囲
【補正対象項目名】全文
【補正方法】変更
【補正の内容】
【特許請求の範囲】
【請求項１】
合成樹脂の線材などで作るか、合成樹脂で成形加工し、上縁前面に重りを、底に浮力を出す発泡体やウキなどを、それぞれ取り付け、上縁中央部両端を二股の支持具で吊り下げる構造のかごで、支持具を、軸受部で水平かつ後方に伸ばしてから、かごの半径以上の大きさで上方前方に曲げて、かごの上面に、両端の支持部を結ぶ線に平行な方向と垂直な方向の、直角に交わる二つの方向に、かごの半径以上の高さと幅の自由空間を有することを特徴とする転倒式コマセかご
【請求項２】
請求項１のかごで、両側の支持部に設けたそれぞれの軸受と、支持部から上方にかごの半径以上の大きさで折り曲げた比較的強度のある支持具で、かごの転倒を円滑にするとともに、かごの上面に、両端の支持部を結ぶ線に垂直な方向にかごの半径以上の高さと幅の自由空間を有することを特徴とする転倒式コマセかご
【請求項３】
請求項１及び２のかごで、支持具とかご両端の支持部の間に、弱いバネ性を有する材料または柔軟な材料を使用することを特徴とする転倒式コマセかご
【請求項４】
請求項１、２および３のかごで、釣針が支持具にからむのを防止する、あるいは、コマセの飛散を減少させるために、支持具両端の少し前からかごの後縁までを覆う、内部寸法が半径よりも大きいガードを持つ、または、取り付けられることを特徴とする転倒式コマセかご